(57)【要約】【課題】同じ周波数帯の電波を使用している機器があっても、空きチャネルを探して通信チャネルとして選択・変更することにより、リモコン操作を可能とする。【解決手段】被制御装置であるテレビ２０側の送受信制御部２３は、周期的に動作制御信号ＡＣＴによって無線送受信部２１を受信状態にし、この無線送受信部２１が受信したチャネルの電界強度信号ＲＳＳＩを干渉判定部２４によって判定させる。干渉判定部２４は、電界強度信号ＲＳＳＩが閾値を連続して一定回数超えた場合に、チャネル設定部２２に対してチャネル変更信号ＣＣ２を出力する。これにより、チャネル設定部２２は、予め干渉が少ないとして指定されているチャネルを所定の順番に切り換えて無線送受信部２１の送受信チャネルを変更する。リモコン１０側では、一定時間内に応答信号ＡＣＫが受信できないときに、テレビ２０側と同様にチャネルを切り換える。【選択図】図１
2009267560.tif 000002
【特許請求の範囲】
【請求項１】
遠隔制御器から離れた位置に存在する制御対象装置の動作を電波を介して制御する遠隔制御システムであって、
前記遠隔制御器は、
複数のキーボタンを有し、押下されたキーボタンに応じた信号を出力する操作部と、
前記操作部から与えられる信号に基づいて前記制御対象機器に送信する制御データを生成して出力した後、該制御対象機器からの応答信号を監視して一定時間内に応答があれば動作を終了し、一定時間内に応答が無い場合には該応答信号を得るまで同じ制御データを一定回数繰り返して出力し、該制御データを一定回数送信したにも拘らず該応答信号が得られないときには、第１のチャネル変更信号を出力した後、再び該制御データを出力する制御部と、
前記第１のチャネル変更信号に基づいて前記制御対象装置との間の通信で使用する電波のチャネル番号を予め定められた順番で切り換えて出力する第１のチャネル設定部と、
前記第１のチャネル設定部で指定されたチャネル番号の電波を使用して前記制御データを送信すると共に、該チャネル番号の電波で送られて来る前記応答信号を受信する第１の無線送受信部とを備え、
前記制御対象装置は、
遠隔制御の対象となる本体装置と、
第２のチャネル変更信号に基づいて前記遠隔制御器との間の通信で使用する電波のチャネル番号を前記第１のチャネル設定部と同じ順番で切り換えて出力する第２のチャネル設定部と、
一定周期で与えられる動作制御信号によって間欠的に起動され、前記第２のチャネル設定部で指定されたチャネル番号の電波の受信レベルを示す電界強度信号を出力すると共に該チャネル番号の電波で送られて来る前記制御データを受信し、該チャネル番号の電波で前記応答信号を送信する第２の無線送受信部と、
前記動作制御信号を周期的に出力すると共に、前記第２の無線送受信部で受信した前記制御データに基づいて前記本体装置に対する本体制御信号を出力し、該制御データに応じて前記応答信号を生成して前記第２の無線送受信部に与える送受信制御部と、
前記動作制御信号が与えられる度に前記第２の無線送受信部から出力される前記電界強度信号のレベルを判定し、該電界強度信号が所定レベルを連続してＭ回（但し、Ｍは予め定められた複数）超えた場合、または、過去Ｎ回（但し、Ｎは予め定められた複数）の電界強度信号の内で該所定レベルを超えた割合が一定値以上の場合に、前記第２のチャネル変更信号を出力する干渉判定部とを備えた、
ことを特徴とする遠隔制御システム。
【請求項２】
前記第１及び第２のチャネル設定部は、ＩＥＥＥ８０２．１５．４で規定される２．４ＧＨｚ帯の電波のチャネル番号１１，１５，２０，２５，２６の内の２つ以上を所定の順番で循環して切り換えることを特徴とする請求項１記載の遠隔制御システム。
【請求項３】
前記第１及び第２のチャネル設定部は、ＩＥＥＥ８０２．１５．４で規定される２．４ＧＨｚ帯の電波のチャネル番号１１，１５，２０，２５，２６をこの順番で循環して切り換えることを特徴とする請求項１記載の遠隔制御システム。
【発明の詳細な説明】
【技術分野】
【０００１】
本発明は、テレビジョン装置（以下、単に「テレビ」という）やエア・コンディショナ(以下、単に「エアコン」という)等の家電機器の遠隔制御システム、特に小電力無線を使用した遠隔制御システムに関するものである。
【背景技術】
【０００２】
従来、テレビやエアコン等の家電機器の遠隔制御は、一般的に遠隔制御器(以下、「リモコン」という)から赤外線を使用して本体装置に制御信号を送信する単方向通信が使用されている。赤外線は指向性を持つため、リモコンを制御対象のテレビやエアコンに向けて操作する必要があることと、遮蔽物があると操作できないといった問題があるため、近年ではＩＥＥＥ８０２．１５．４で規定される２．４ＧＨｚ帯の無線通信プロトコルを用いた遠隔制御システムが提案され、商品化されている。この無線通信を使用した場合、リモコンを制御対象機器に向けることなく操作が可能になる上、その間に遮蔽物が存在しても電波が回り込んで制御対象機器に届くといった効果があるため、赤外線を使用したリモコンから電波を使用したリモコンへ徐々に置き換えられつつある。
【０００３】
【特許文献１】特開２００２−３００６３０号公報
【発明の開示】
【発明が解決しようとする課題】
【０００４】
しかしながら、前記のように赤外線を単に２．４ＧＨｚ帯の電波に変更しただけでは、同じ２．４ＧＨｚ帯の電波を利用している電子レンジや無線ＬＡＮ(Local  Area  Network)等の干渉を受け易くなり、これらの機器が使用されている間、正常なリモコン操作ができなくなるという課題があった。
【０００５】
本発明は、近くに同じ周波数帯の電波を使用している機器があっても、空きチャネルを探して通信チャネルとして選択・変更することにより、リモコン操作を可能とする遠隔制御システムを提供することを目的としている。
【課題を解決するための手段】
【０００６】
本発明は、リモコンから離れた位置に存在する制御対象装置の動作を電波を介して制御する遠隔制御システムにおいて、リモコンと制御対象装置をそれぞれ次のように構成したことを特徴としている。
【０００７】
リモコンは、複数のキーボタンを有し、押下されたキーボタンに応じた信号を出力する操作部と、前記操作部から与えられる信号に基づいて前記制御対象機器に送信する制御データを生成して出力した後、該制御対象機器からの応答信号を監視して一定時間内に応答があれば動作を終了し、一定時間内に応答が無い場合には該応答信号を得るまで同じ制御データを一定回数繰り返して出力し、該制御データを一定回数送信したにも拘らず該応答信号が得られないときには、第１のチャネル変更信号を出力した後、再び該制御データを出力する制御部と、前記第１のチャネル変更信号に基づいて前記制御対象装置との間の通信で使用する電波のチャネル番号を予め定められた順番で切り換えて出力する第１のチャネル設定部と、前記第１のチャネル設定部で指定されたチャネル番号の電波を使用して前記制御データを送信すると共に、該チャネル番号の電波で送られて来る前記応答信号を受信する第１の無線送受信部を備えている。
【０００８】
また、制御対象装置は、遠隔制御の対象となる本体装置と、第２のチャネル変更信号に基づいて前記リモコンとの間の通信で使用する電波のチャネル番号を前記第１のチャネル設定部と同じ順番で切り換えて出力する第２のチャネル設定部と、一定周期で与えられる動作制御信号によって間欠的に起動され、前記第２のチャネル設定部で指定されたチャネル番号の電波の受信レベルを示す電界強度信号を出力すると共に該チャネル番号の電波で送られて来る前記制御データを受信し、該チャネル番号の電波で前記応答信号を送信する第２の無線送受信部と、前記動作制御信号を周期的に出力すると共に、前記第２の無線送受信部で受信した前記制御データに基づいて前記本体装置に対する本体制御信号を出力し、該制御データに応じて前記応答信号を生成して前記第２の無線送受信部に与える送受信制御部と、前記動作制御信号が与えられる度に前記第２の無線送受信部から出力される前記電界強度信号のレベルを判定し、該電界強度信号が所定レベルを連続してＭ回（但し、Ｍは予め定められた複数）超えた場合、または、過去Ｎ回（但し、Ｎは予め定められた複数）の電界強度信号の内で該所定レベルを超えた割合が一定値以上の場合に、前記第２のチャネル変更信号を出力する干渉判定部を備えている。
【発明の効果】
【０００９】
本発明では、制御対象装置側の無線送受信部において、チャネル設定部で設定されたチャネルの受信レベルを示す電界強度信号を出力し、干渉判定部においてその電界強度信号を周期的に判定し、この電界強度信号が所定レベルを連続してＭ回（但し、Ｍは予め定められた複数）超えた場合、または、過去Ｎ回（但し、Ｎは予め定められた複数）の電界強度信号の内で該所定レベルを超えた割合が一定値以上の場合に、チャネル設定部に対してチャネル変更信号を出力するようにしている。更に、チャネル設定部は、チャネル変更信号に基づいてリモコンとの間の通信で使用する電波のチャネル番号を所定の順番で切り換えて設定するようにしている。これにより、無線ＬＡＮ等からの干渉が少ない送受信チャネルを選択して使用することができるので、妨害波の影響を受けることが少ない。また、干渉波が検出されたときに、送受信チャネルを切り換えるようにしているので、妨害波の影響を回避することができるという効果がある。
【発明を実施するための最良の形態】
【００１０】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１１】
図１は、本発明の実施例を示す遠隔制御システムの構成図である。
この遠隔制御システムは、例えばＩＥＥＥ８０２．１５．４で規定される２．４ＧＨｚ帯の無線通信を使用して家庭用のＡＶ(Audio-Video)機器等を遠隔操作するもので、制御側の機器であるリモコン１０と、被制御側のテレビ２０で構成されている。
【００１２】
リモコン１０は、操作部１１、制御部１２、無線送受信部１３、及びチャネル設定部１４を備えている。操作部１１は、テレビ２０の電源をオン・オフしたり、放送受信チャンネルを指定したり、音量を増減したりするための複数のキーボタンを有し、押下されたキーボタンに応じた信号ＫＥＹを制御部１２に出力するものである。
【００１３】
制御部１２は、操作部１１から与えられる信号ＫＥＹに従ってテレビ２０側へ送信するための所定フォーマットの制御データＲＣＤを生成し、無線送受信部１３に出力するものである。また、制御部１２は、制御データＲＣＤを出力した後、テレビ２０側からの応答信号ＡＣＫを監視し、一定時間（例えば、０．８ｍｓ）内に応答が無ければ同じ制御データＲＣＤを一定回数（例えば、３０回）繰り返してテレビ２０側へ送信する機能を有している。更に、制御部１２は、制御データＲＣＤを一定回数送信したにも拘らずテレビ２０側からの応答信号ＡＣＫが得られないときには、チャネル設定部１４に対して送受信に使用するチャネルを予め定められた順番で切り換えさせるためのチャネル変更信号ＣＣ１を出力し、その切り換えたチャネルで再び制御データＲＣＤを出力する機能を有している。
【００１４】
無線送受信部１３は、制御部１２から制御データＲＣＤが与えられたときには、送信状態となってチャネル設定部１４から与えられるチャネル番号ＣＮ１で設定された無線チャネルを使用してその制御データＲＣＤを２．４ＧＨｚ帯の電波で送信し、送信完了後は受信状態となって同じ無線チャネルの応答信号ＡＣＫを受信するものである。無線送受信部１３で受信した応答信号ＡＣＫは、制御部１２に与えられるようになっている。なお、この無線送受信部１３は、操作部１１のいずれかのキーボタンが操作されたときに電力の供給が開始され、キーボタンの操作が一定時間途絶えたときには電力の供給が停止して省電力モードに移行するようになっている。
【００１５】
チャネル設定部１４は、無線送受信部１３で送受信する２．４ＧＨｚ帯のチャネル番号ＣＮ１を設定するもので、制御部１２から与えられるチャネル変更信号ＣＣ１に従って、予め定められた順番に循環して切り換えるようになっている。
【００１６】
一方、テレビ２０は、無線送受信部２１、チャネル設定部２２、送受信制御部２３、干渉判定部２４、テレビ制御部２５、及び放送局からの電波を受信して映像及び音声を出力する本体装置２６を備えている。
【００１７】
無線送受信部２１は、リモコン１０側の無線送受信部１３との間で２．４ＧＨｚ帯の電波を使用した無線通信を行うもので、リモコン１０側から受信した制御データＲＣＤを送受信制御部２３に出力し、この送受信制御部２３から与えられる応答信号ＡＣＫを同じ無線チャネルを使用してリモコン１０側へ送信するものである。また、無線送受信部２１は、チャネル設定部２２によって送受信に使用するチャネル番号ＣＮ２が設定されると共に、送受信制御部２３から与えられる動作制御信号ＡＣＴによって送受信動作が制御されるようになっている。更に、無線送受信部２１は、受信状態における受信チャネルの電界強度信号ＲＳＳＩを、干渉判定部２４に出力する機能を有している。
【００１８】
チャネル設定部２２は、無線送受信部２１で送受信する２．４ＧＨｚ帯のチャネル番号ＣＮ２を設定するもので、このチャネル番号ＣＮ２は、干渉判定部２４から与えられるチャネル変更信号ＣＣ２に従って、リモコン１０側と同じ順番で循環して切り換えられるようになっている。
【００１９】
送受信制御部２３は、無線送受信部２１に対する送受信の動作制御と、干渉判定部２４に対する動作制御、及びリモコン１０側から受信した制御データＲＣＤを本体制御信号ＣＯＮとしてテレビ制御部２５へ出力するものである。即ち、送受信制御部２３は、動作制御信号ＡＣＴによって無線送受信部２１を間欠動作させるようになっている。例えば、送受信制御部２３は、動作制御信号ＡＣＴを５０ｍｓだけ活性化させて無線送受信部２１を動作状態にし、その後、動作制御信号ＡＣＴを２５０ｍｓの間非活性化させて無線送受信部２１の動作を停止させる。この動作を３００ｍｓ周期で繰り返すことにより、無線送受信部２１による電力消費を抑えるようにしている。また、送受信制御部２３は、無線送受信部２１で受信した制御データＲＣＤが自己宛か否かを判定し、自己宛であれば無線送受信部２１に対して応答信号ＡＣＫを送信するように制御すると共に、自己宛の制御データＲＣＤを本体制御信号ＣＯＮに変換してテレビ制御部２５に出力するようになっている。
【００２０】
干渉判定部２４は、動作制御信号ＡＣＴによって無線送受信部２１が動作を開始した直後のチャネル番号ＣＮ２の電界強度信号ＲＳＳＩを取り込み、この電界強度信号ＲＳＳＩのレベルに基づいて他の装置が同じ無線チャネルを使用しているか否かを判定するものである。即ち、電界強度信号ＲＳＳＩが所定のレベル以上のときに、他の装置が同一の無線チャネルを使用していると判定する。この判定処理は、動作制御信号ＡＣＴに基づいて３００ｍｓ周期で行われ、所定回数（例えば、８０回）連続して電界強度信号ＲＳＳＩが所定のレベル以上となった時に、干渉判定部２４は妨害波が存在すると判断し、チャネル設定部２２に対してチャネル変更信号ＣＣ２を出力するようになっている。
【００２１】
テレビ制御部２５は、送受信制御部２３から与えられる本体制御信号ＣＯＮに基づいて、本体装置２６の動作（電源のオン・オフ、受信チャンネル、音量の増減等）を制御するものである。
【００２２】
図２は、図１の遠隔制御システムで使用する無線チャネル配置図である。
この無線チャネル配置は、ＩＥＥＥ８０２．１５．４で規定された２．４ＧＨｚ帯のもので、チャネル１１（２４０５ＭＨｚ）からチャネル２６（２４８０ＭＨｚ）までの１６チャネルであり、各チャネルは２ＭＨｚの帯域を占有し、隣接チャネルの中心周波数間隔は５ＭＨｚとなっている。なお図２には、同じ２．４ＧＨｚ帯を使用する無線ＬＡＮの占用周波数帯域を破線で示している。この図に示すように、チャネル１１（２４０５ＭＨｚ）、チャネル１５（２４２５ＭＨｚ）、チャネル２０（２４５０ＭＨｚ）、チャネル２５（２４７５ＭＨｚ）、及びチャネル２６（２４８０）の５チャネルを使用すれば、無線ＬＡＮとの干渉を回避できることが分かる。
【００２３】
図３は、図１の遠隔制御システムの動作を示すシーケンス図である。以下、この図３を参照しつつ、図１の動作の概要を説明する。
【００２４】
リモコン１０及びテレビ２０では、それぞれ初期設定によってチャネル設定部１４，２２におけるチャネル番号ＣＮ１，ＣＮ２が、共にチャネル１１に設定される。
【００２５】
テレビ２０側では、無線送受信部２１が、送受信制御部２３から与えられる動作制御信号ＡＣＴによって、３００ｍｓの周期毎に５０ｍｓだけ動作可能となり、チャネル１１の受信状態となる。無線送受信部２１で受信したチャネル１１の信号レベルは、電界強度信号ＲＳＳＩとして干渉判定部２４に与えられる。
【００２６】
干渉判定部２４は、動作制御信号ＡＣＴが与えられた後、一定時間（例えば、１ｍｓ後）が経過して無線送受信部２１が安定した時点で、電界強度信号ＲＳＳＩを閾値と比較するエネルギースキャンを行う。エネルギースキャンで、電界強度信号ＲＳＳＩが所定のレベル以上のときに干渉波が存在すると判定してカウント値を１だけ増加させる。干渉波が検出されなければ、カウント値を０に戻す。
【００２７】
動作制御信号ＡＣＴが与えられている５０ｍｓの間、無線送受信部２１は受信状態となってリモコン１０側からの制御データＲＣＤを待ち続ける。そして、動作制御信号ＡＣＴが停止すると、無線送受信部２１は２５０ｍｓ間の停止状態となり、一切の動作を停止する。
【００２８】
一方、リモコン１０側では、操作部１１のキーボタンが押されると、制御部１２は操作部１１から与えられる信号ＫＥＹに従ってテレビ２０側へ送信するための所定フォーマットの制御データＲＣＤを生成し、無線送受信部１３に出力する。これにより、無線送受信部１３は送信状態となり、チャネル設定部１４で設定されたチャネル１１を使用して制御データＲＣＤを送信する。無線送受信部１３は、制御データＲＣＤを送信した後、直ちに同じチャネル１１の受信状態に移行し、テレビ２０側からの応答信号ＡＣＫの受信を待つ。
【００２９】
この時、テレビ２０の無線送受信部２１が停止状態であれば、応答信号ＡＣＫが戻ることはない。従って、リモコン１０の制御部１２は、制御データＲＣＤを出力した後、テレビ２０側からの応答信号ＡＣＫが一定時間（この場合、０．８ｍｓ）内に戻らないので、同じ制御データＲＣＤを繰り返してテレビ２０側へ送信する。同じ制御データＲＣＤの送信は最大３０回行われるので、その間（１０ｍｓ×２９回＝２９０ｍｓ）にテレビ２０の無線送受信部２１は受信状態となり、リモコン１０からの制御データＲＣＤを受信する。
【００３０】
リモコン１０からの制御データＲＣＤを受信したテレビ２０の送受信制御部２３は、無線送受信部２１を介して応答信号ＡＣＫをリモコン１０側へ送信すると共に、その制御データＲＣＤを本体制御信号ＣＯＮに変換してテレビ制御部２５に与える。これにより、本体装置２６は、制御データＲＣＤに基づく本体制御信号ＣＯＮに従って遠隔制御される。一方、テレビ２０側から応答信号ＡＣＫを受け取ったリモコン１０では、制御データＲＣＤの再送を停止する。
【００３１】
テレビ２０側では、リモコン１０からの制御データＲＣＤの有無に拘らず、３００ｍｓの周期毎に電界強度信号ＲＳＳＩに基づいて干渉判定部２４による干渉波の検出が行われる。ここで、所定回数（ここでは、８０回）連続して干渉波が検出されると、その無線チャネル（この場合は、チャネル１１）に妨害波が存在すると判断し、干渉判定部２４は、チャネル設定部２２に対してチャネル変更信号ＣＣ２を出力する。チャネル設定部２２は、チャネル変更信号ＣＣ２が与えられると、チャネル番号ＣＮ２を予め定められた順番に従って、１１から１５に切り換える。これにより、テレビ２０の無線送受信部２１の送受信チャネルは、一方的にチャネル１５に変更される。
【００３２】
その後、リモコン１０側で操作部１１のキーボタンが押されると、制御部１２は操作部１１から与えられる信号ＫＥＹに従って制御データＲＣＤを生成し、無線送受信部１３に出力する。これにより、無線送受信部１３は送信状態となって制御データＲＣＤを送信する。この時、リモコン１０のチャネル設定部１にはチャネル１１に設定されているので、テレビ２０側の無線送受信部２１は、たとえ動作状態であってもリモコン１０からの制御データＲＣＤを受信することはない。
【００３３】
従って、リモコン１０は、同じ制御データＲＣＤの送信を最大３０回行っても、応答信号ＡＣＫを受信することができず、無応答と判定する。これにより、制御部１２は、チャネル設定部１４に対してチャネル変更信号ＣＣ１を出力する。チャネル設定部１４は、チャネル変更信号ＣＣ１が与えられると、チャネル番号ＣＮ１を、予め定められた順番に従って、１１から１５に切り換える。これにより、リモコン１０の無線送受信部１３の送受信チャネルは、チャネル１５に変更される。更に制御部１２は、その切り換えたチャネル(即ち、チャネル１５)で再び制御データＲＣＤを出力する。この場合、リモコン１０の送受信チャネル番号は、テレビ２０の送受信チャネル番号と同じチャネル１５となるので、リモコン１０から送信される制御データＲＣＤは、テレビ２０側で受信され、テレビ本体２６がこの制御データＲＣＤに基づいて遠隔制御される。
【００３４】
図４は、図１のリモコン１０の動作例を示すフローチャートである。
リモコン１０は、ステップＳ１１の初期設定によってチャネル設定部１４のチャネル番号ＣＮ１が１１に設定され、ステップＳ１２で無線送受信部１３に対する電力の供給が停止された後、ステップＳ１３による操作部１１のキー入力待ち状態に移行する。
【００３５】
操作部１１のキーボタンから信号ＫＥＹが制御部１２に出力されると、ステップＳ１４において無線送受信部１３に対する電力の供給が開始される。ステップＳ１５において、制御データＲＣＤの送信回数をカウントするためのカウンタｎが０にリセットされた後、ステップＳ１６において、制御部１２で生成された制御データＲＣＤが送信制御部１３から無線チャネルを介してテレビ２０側に送信され、ステップＳ１７において、カウンタｎの値が１だけ増加される。その後、ステップＳ１８において、無線送受信部１３は受信状態となり、テレビ２０からの応答信号ＡＣＫを待つ。
【００３６】
ステップＳ１９において、所定時間内にテレビ２０からの応答信号ＡＣＫが受信されればステップＳ１２へ戻る。所定時間内に応答信号ＡＣＫが受信されなければ、ステップＳ２０でカウンタｎの値が所定の値Ｎに達したか否かを判定する。カウンタｎの値が所定の値Ｎに達していなければ、ステップＳ１６へ戻って再び同じ制御データＲＣＤを送信する。もしも、カウンタｎの値が所定の値Ｎに達していれば、ステップＳ２１においてチャネル変更信号ＣＣ１が出力され、チャネル設定部１４のチャネル番号ＣＮ１が、予め定められた順番に従って切り換えられた後、ステップＳ１５へ戻る。
【００３７】
このような処理の流れにより、チャネル設定部１４のチャネル番号ＣＮ１は、Ｎ回同じ制御データＲＣＤを送信しても応答信号ＡＣＫが得られないときに、予め定められた順番（１１→１５→２０→２５→２６→１１）に従って、サイクリックに切り換えられることになる。
【００３８】
図５は、図１のテレビ２０の動作例を示すフローチャートである。
テレビ２０は、ステップＳ３１の初期設定によってチャネル設定部１４のチャネル番号ＣＮ１が１１に設定され、干渉波の連続検出回数をカウントするためのカウンタｘが０にリセットされた後、ステップＳ３２において動作制御信号ＡＣＴが活性化されて無線送受信部２１が受信状態となる。ステップＳ３３において、無線送受信部２１から出力される電界強度信号ＲＳＳＩが安定した時点で、この電界強度信号ＲＳＳＩのレベルに基づいて干渉波の検出（エネルギースキャン）が行われる。
【００３９】
ステップＳ３４において電界強度信号ＲＳＳＩの信号レベルが一定値未満であれば、ステップＳ３５でカウンタｘの値を０にしてステップＳ３６へ進み、所定時間（５０ｍｓ）だけリモコン１０からの制御データＲＣＤの受信を待機する。もしも電界強度信号ＲＳＳＩの信号レベルが一定値以上であれば、ステップＳ３７へ進みカウンタｘの値を１だけ増加させ、ステップＳ３８でカウンタｘの値が所定回数Ｘ（ここでは、８０回）に達したか否かを判定する。カウンタｘの値が所定回数Ｘに達していなければ、ステップＳ３６へ進みリモコン１０からの制御データＲＣＤの受信を待機する。もしも、カウンタｘの値が所定回数Ｘに達していれば、ステップＳ３９においてチャネル変更信号ＣＣ２が出力され、チャネル設定部２２のチャネル番号ＣＮ２が予め定められた順番に従って切り換えられる。そして、ステップＳ４０でカウンタｘの値が０にリセットされた後、ステップＳ３３へ戻る。
【００４０】
ステップＳ３６における受信待機で、動作制御信号ＡＣＴが活性化されている５０ｍｓの間にリモコン１０からの制御データＲＣＤが受信されると、ステップＳ４１において無線送受信部２１が送信状態に切り換えられ、ステップＳ４２においてリモコン１０に対する応答信号ＡＣＫが送信される。応答信号ＡＣＫの送信後、ステップＳ４３において無線送受信部２１は再び受信状態に切り換えられ、ステップＳ４４において送受信制御部２３からテレビ制御部２５に本体制御信号ＣＯＮが出力され、本体装置２６はこの本体制御信号ＣＯＮに従って遠隔制御される。その後、ステップＳ４５で動作制御信号ＡＣＴが非活性化され、無線送受信部２１の動作は停止する。そして、ステップＳ４６において２５０ｍｓの省電力状態となる。２５０ｍｓの省電力状態が経過すると、ステップＳ３２へ戻り、動作制御信号ＡＣＴが活性化されて無線送受信部２１が再び受信状態となる。
【００４１】
また、ステップＳ３６での受信待機状態が５０ｍｓ経過した場合には、ステップＳ４５へ進み、動作制御信号ＡＣＴが非活性化され、無線送受信部２１の動作は停止する。そして、ステップＳ４６において２５０ｍｓの省電力状態となり、その後ステップＳ３２へ戻り、動作制御信号ＡＣＴが活性化されて無線送受信部２１が再び受信状態となる。
【００４２】
以上のように、本実施例の遠隔制御システムは、次のような利点がある。
（１）  送受信チャネルとして、無線ＬＡＮからの干渉が少ないチャネルを選択して使用するようにしているので、妨害波の影響を受けることが少ない。
（２）  一定回数連続して干渉波が検出されたときに、送受信チャネルを一定の順番で切り換えるようにしているので、妨害波の影響を回避することができる。
（３）  リモコン１０の無線送受信部１３はキーボタンの操作がないときには省電力モードとなり、テレビ２０の無線送受信部２１は間欠受信動作によって省電力モードとなるように構成されているので、無駄な電力消費を抑えることができる。
【００４３】
なお、本発明は、上記実施例に限定されず、種々の変形が可能である。この変形例としては、例えば、次のようなものがある。
（ａ）  リモコン１０は、操作部１１のキーボタンの操作に基づいて無線送受信部１３に対する電力供給を制御しているが、省電力モードの制御方法はこれに限定されない。また、テレビ２０側でも省電力モードを使用しているが、待ち受け電力があまり大きくない場合は、省電力モードを使用しなくても良い。
（ｂ）  リモコン１０に、テレビ２０側からの応答信号ＡＣＫが受信されたことを表示する表示部を設けても良い。
（ｃ）  例示した無線周波数、時間、回数等は一例であり、適用するシステムに合わせて適切に設定することができる。本実施例では、５つのチャネルを順番に切り換えるようにしているが、例えば２つのチャネルを交互に切り換えるようにしても良い。
（ｄ）  テレビ２０側で一方的に送受信チャネルが切り換えられて、リモコン１０が孤立状態となった場合に、リモコン１０は、ＩＥＥＥ８０２．１５．４に準拠したオーファン・スキャンを行うようにしても良い。オーファン・スキャンは、リモコン１０から送受信チャネルとして使用するチャネル１１，１５，２０，２５，２６を順番に指定してオーファン通知コマンドを順次送信するものである。テレビ２０側では、オーファン通知コマンドを受信した場合に、過去に接続していた記録があれば、その受信したチャネルを使用して応答コマンドを返す。これにより、リモコン１０は、テレビ２０側で現在使用しているチャネル番号を知り、そのチャネルに送受信チャネルを切り換えることができる。
（ｅ）  所定回数（例えば、８０回）連続して干渉波が検出されたときに妨害波が存在すると判断しているが、過去Ｎ回（但し、Ｎは予め定められた複数）の電界強度信号の内で所定レベルを超えた割合が一定値（例えば、８０％）以上の場合に、妨害波が存在すると判断しても良い。
（ｆ）  リモコン１０の操作部１１にＬＥＤ（発光ダイオード）等の表示器を設け、テレビ２０側から応答信号ＡＣＫを受信したときにこのＬＥＤを点灯するようにしても良い。
【図面の簡単な説明】
【００４４】
【図１】本発明の実施例を示す遠隔制御システムの構成図である。
【図２】図１の遠隔制御システムで使用する無線チャネル配置図である。
【図３】図１の遠隔制御システムの動作を示すシーケンス図である。
【図４】図１のリモコン１０の動作例を示すフローチャートである。
【図５】図１のテレビ２０の動作例を示すフローチャートである。
【符号の説明】
【００４５】
１０    リモコン
１１    操作部
１２    制御部
１３，２１    無線送受信部
１４，２２    チャネル設定部
２３    送受信制御部
２４    干渉判定部
２５    テレビ制御部
２６    本体装置
【図１】
2009267560.tif 000003
【図２】
2009267560.tif 000004
【図３】
2009267560.tif 000005
【図４】
2009267560.tif 000006
【図５】
2009267560.tif 000007